(57)【特許請求の範囲】
【請求項１】
内視鏡本体の内部と外部とを液密的に仕切る隔壁に設けられ、前記内視鏡本体の内部と外部とを連通可能な管孔を有し、外端部を前記内視鏡本体の外に突き出した連通管と、
前記連通管の管孔に設けられ、該管孔を通じての前記内視鏡本体の内部と外部との連通・閉鎖状態を選択可能にする連通弁と、
前記連通管の外周位に設けられ、該連通管の軸まわりに回転可能であって回転することで前記連通弁を操作し、前記内視鏡本体の内部と外部とを連通・閉鎖状態を選択する回転体と、
前記回転体に付設され、前記回転体を回転操作するための突出部に係合可能な係合受け部と、
前記連通弁よりも前記内視鏡本体の内側に位置して前記連通管の管孔に設けられ、前記内視鏡本体の内部の圧力が外部の圧力より高い場合のみ内部から外部への通気を許容する逆止弁と、
前記連通管の外端部の壁部に突き出して設けたピンと、
を有する内視鏡を備え、
更に、
前記内視鏡本体を収容する凹部と、
前記凹部に設けられ、前記内視鏡本体を該凹部に収容するときに前記連通管の外端部を差し込む穴を有した装着部材と、
前記装着部材に設けられ、前記穴に前記連通管を差し込んだときに前記ピンに係合して前記連通管の回転をガイドすると共に前記連通管を装着位置までガイドするガイド溝と、
前記装着部材に設けられ、前記連通管の外端部を前記穴に差し込むときに前記係合受け部に係合可能な突出部と、
を有し、前記内視鏡本体を前記凹部に収容するとき、前記係合受け部に前記突出部が係合し、前記ガイド溝に前記ピンが係合して前記連通管を回転することで前記回転体が回転して前記連通弁を連通状態にせしめる弁開閉機構を備えた収納容器を具備したことを特徴とする内視鏡装置。
【発明の詳細な説明】
【０００１】
【発明の属する技術分野】
この発明は、光源装置、カメラコントロールユニットと接続されるユニバーサルコードを備えた内視鏡装置に関する。
【０００２】
【従来の技術】
内視鏡のオートクレーブ及びガス滅菌を行なう際には、その前工程及び後工程として滅菌装置内が陰圧にされるため、内視鏡を圧力の変動に耐え得る構造にする必要がある。
【０００３】
そこで、従来においては、特公平4-67445号公報に示すように、内視鏡本体の内部圧力が外部圧力より高いときに開き、内部と外部とを連通させる自動開閉弁を設けたものが知られている。
【０００４】
また、特開2000-157484号公報及び特開2001-87215号公報に示すように、内視鏡本体にオートクレーブ滅菌の際の陰圧工程でも軟性の外皮チューブ等が破損しないように連通弁を開放するようにしたものが知られている。
【０００５】
【発明が解決しようとする課題】
しかしながら、前記公報のものは、オートクレーブ及びガス滅菌を行なう際、前工程および後工程として滅菌装置内が陰圧にされる。また、内視鏡本体には軟性部の破裂を防止し、ガス及び蒸気の侵入を防止するための逆止弁が設けられていて、内視鏡本体内部から外部へは気体を通過させるが、外部から内部へは気体を通過させない構造になっている。
【０００６】
また、洗滌液による洗滌あるいは薬液に浸漬して消毒を行なうこともある。
【０００７】
従来の内視鏡は逆止弁が外表面に露出しているため、逆止弁が薬液に接触することにより、固着を起こし、オートクレーブの陰圧工程時に逆止弁が機能せず、内視鏡本体の軟性部が破損する可能性があった。その対策として、逆止弁の外側に開閉弁を設け、開閉弁が開放されているときに逆止弁が機能し、開閉弁が閉鎖されている時には逆止弁に薬液などが触れない構成が提案されていた。
【０００８】
また、特開2000-157484号公報、特願平11-266189号では、滅菌時に開閉弁を開放するためのアダプタを取り付け忘れる可能性があり、開閉弁が閉鎖されたままオートクレーブに投入され、内視鏡本体の軟性部が破損する可能性があった。
【０００９】
この発明は前記事情に着目してなされたもので、その目的とするところは、内視鏡を滅菌時に収納する収納容器に収納することにより、連通弁を開放し、滅菌時に連通弁が必ず開放される内視鏡装置を提供することである。
【００１０】
【発明を解決するための手段】
前記目的を達成するために、本発明は、内視鏡本体の内部と外部とを液密的に仕切る隔壁に設けられ、前記内視鏡本体の内部と外部とを連通可能な管孔を有し、外端部を前記内視鏡本体の外に突き出した連通管と、前記連通管の管孔に設けられ、該管孔を通じての前記内視鏡本体の内部と外部との連通・閉鎖状態を選択可能にする連通弁と、前記連通管の外周位に設けられ、該連通管の軸まわりに回転可能であって回転することで前記連通弁を操作し、前記内視鏡本体の内部と外部とを連通・閉鎖状態を選択する回転体と、前記回転体に付設され、前記回転体を回転操作するための突出部に係合可能な係合受け部と、前記連通弁よりも前記内視鏡本体の内側に位置して前記連通管の管孔に設けられ、前記内視鏡本体の内部の圧力が外部の圧力より高い場合のみ内部から外部への通気を許容する逆止弁と、前記連通管の外端部の壁部に突き出して設けたピンと、を有する内視鏡を備え、更に、前記内視鏡本体を収容する凹部と、前記凹部に設けられ、前記内視鏡本体を該凹部に収容するときに前記連通管の外端部を差し込む穴を有した装着部材と、前記装着部材に設けられ、前記穴に前記連通管を差し込んだときに前記ピンに係合して前記連通管の回転をガイドすると共に前記連通管を装着位置までガイドするガイド溝と、前記装着部材に設けられ、前記連通管の外端部を前記穴に差し込むときに前記係合受け部に係合可能な突出部と、を有し、前記内視鏡本体を凹部に収容するとき、前記係合受け部に前記突出部が係合し、前記ガイド溝に前記ピンが係合して前記連通管を回転することで前記回転体が回転して前記連通弁を連通状態にせしめる弁開閉機構を備えた収納容器を具備したことを特徴とする内視鏡装置である。
【００１１】
前記構成によれば、滅菌時に内視鏡本体を収納容器に収納することにより、連通弁が開放し、内視鏡本体の内部と外部とが連通状態となる。
【００１２】
【発明の実施の形態】
以下、この発明の各実施の形態を図面に基づいて説明する。
【００１３】
図１〜図４は第１の実施形態を示し、図1は内視鏡装置全体図を示す。この内視鏡本体1は湾曲機構を持つ軟性の挿入部2と術者が把持して種々の操作を行なう操作部3と、この操作部3より延出したユニバーサルコード4とで主に構成されている。ユニバーサルコード4の遠位端部にはコネクタ5が設けられている。このコネクタ部5は図示しない光源装置及び図示しないカメラコントロールユニット等の外部装置に接続されるようになっている。
【００１４】
コネクタ部5には光源装置に接続されるライトガイドコネクタ6及びカメラコントロールユニットに接続されるカメラコネクタ7が設けられている。また、前記挿入部2、操作部3、ユニバーサルコード4及びコネクタ部5の内部空間は互いに連通している。つまり、内視鏡外装に対して１つの内部空間を形成している。
【００１５】
前記挿入部2は、先端部8と、湾曲自在の湾曲部9と、可撓性を有する可撓管10とで構成されている。前記操作部3には湾曲部9の動作を制御する湾曲操作レバー11と鉗子などの処置具を挿入する処置具挿入孔12と、画像のフリーズ、レリーズなどを行うための複数のスイッチ13が設けられている。前記湾曲操作レバー11は回転自在であり、図示しないＯリングにより水密状態に組付けられている。
【００１６】
前記コネクタ部5には通気口金14が設けられている。前記カメラコネクタ7には防水キャップ15が着脱可能になっている。防水キャップ15は使用後の内視鏡1を洗滌、薬液浸漬、あるいはオートクレーブに投入する際にカメラコネクタ7に取り付けて使用するものであり、防水キャップ15を取り付けることによりカメラコネクタ7ヘの液体の侵入が阻止される。
【００１７】
図2に通気口金14の構造を示す。通気口金14は内視鏡内外を連通する、つまりコネクタ部5の隔壁を貫通する連通管16を有し、この連通管16はその基端のねじ部16aがコネクタ部5の隔壁に貫通するねじ孔5aに螺合して固定されている。なお、この螺合部分は図示しないシール部材により水密に固定されている。
【００１８】
この連通管16における上部側は拡径にされ、その内側に内視鏡本体１の内外の空間を開閉する連通弁17が回転自在に配置され、この連通弁17には側方にピン18が突設され、連通管16のカム溝19を貫通してその外周に配置した回転体20の長孔(あるいは長溝)21内に係合している。
【００１９】
なお、連通管16のテーパ状内面と連通弁17との間にはシール部材22が配置され、連通弁17によりシール部材22を押圧することにより、水密に構成できるようにしている。また連通管16とその外周に配置された回転体20との間にも、例えば回転体20の基端付近の両者間には回転体20に対し適度な摩擦力を付与する例えばＯリング23が配置され、回転体20が空回り移動しないようにしている。
【００２０】
この連通管16における基端側の内部には逆止弁室24が形成され、その内部に逆止弁25が配置され、その逆止弁25の外周に配置したコイルバネ26により、逆止弁25の底部側のテーパ面を連通管16のテーパ内面に押し付けるようにしている。
【００２１】
なお、両テーパ面の間には逆止弁シール部材27が配置され、両テーパ面を互いに押し付けた場合にはこの逆止弁シール部材27により連通状態を遮断したシール状態に設定できるようにしている。
【００２２】
また、この連通管16の外周にはカバー管28が配置され、このカバー管28はビス29で連通管16に対し螺合で固定されている。このカバー管28の上部側は内周面が切り欠かれており、連通管16とその外周面に対向するカバー管28の切り欠き部との間に回転体20の基端側が配置されている。
【００２３】
また、カバー管28には、ピン30が外周側に突出するように設けられている。
【００２４】
また、回転体20の外周面にはその上端付近の位置に係合受け31となる凹部が形成されている。
【００２５】
図3はオートクレーブまたはガス滅菌時に前記内視鏡本体１を所定形状に収納する凹部を設けた収納容器としての滅菌トレー32の形状を示す。この滅菌トレー32には内視鏡本体1の形状に略沿った形状のセッティング溝部33が形成されている。ここで、このセッティング溝部33は内視鏡本体1のそれぞれの部分が所定の場所にかつ所定の方向に正確に収納されるように形成され、このセッティング溝部33によって通気口金14がトレー32の底部に指向して収納されるようになっている。
【００２６】
内視鏡本体１を滅菌トレー32に収納する際に挿入部2を屈曲させた状態でセットすると、オートクレーブやエチレンオキサイドガスなどによる滅菌時に、樹脂製の軟性の挿入部2は屈曲された状態で癖がついてしまい挿入性に大きな支障をきたすおそれがある。そこで、前記滅菌トレー32のセッティング溝部33において少なくとも、挿入部2がセットされる挿入部セッティング溝33aは直線状に形成されている。
【００２７】
前記内視鏡本体1のコネクタ5を収納するコネクタセッティング溝33bの底部には通気口金14と嵌合自在な通気口金装着穴34が設けられている。
【００２８】
次に通気口金装着穴34の形状を図4（ａ）に示す。通気口金装着穴34には通気口金14に外嵌される装着部材35が埋め込まれている。装着部材35には図4（ｂ）に示すようにピン30と係合するガイド溝36が設けられている。ガイド溝36は装着部材35の軸方向に平行に形成された第１の直線ガイド部36aとこの直線ガイド部36aの上端から直角な方向に伸びる回転ガイド部36bと回転ガイド部36bの終端から軸方向に形成された第２の直線ガイド部36cを有する。また、装着部材35には係合受け31と係合し回転体20を回転させる突出片37が設けられている。
【００２９】
そして、コネクタ5をコネクタセッティング溝33bに収納するときはピン30をガイド溝36の第１の直線ガイド部36aに沿って案内する。次に回転ガイド部36bに沿ってコネクタ5ごと通気口金14を回転させる。この間、突出片37と回転体20が係合し、回転体20が回転し、連通弁17が開放され、逆止弁25により内視鏡本体1は内視鏡本体1の内部の圧力が外部の圧力より高いときには気体を内部から外部へ通過させるが、外部の圧力の方が高いときには外部から内部へは気体を通過させない状態になる。
【００３０】
また、この状態ではコネクタ5がコネクタセッティング溝33bから通気口金14の軸方向にはみ出しており、滅菌トレー32の蓋38とコネクタ5が干渉する。
【００３１】
次にピン30が回転ガイド部36bに突き当たるまで回転させ、その後、第２の直線ガイド部36cに沿ってコネクタ5および通気口金14をコネクタセッティング溝33bに押し込む。これによって、コネクタ5がコネクタセッティング溝33bに完全に収納され、蓋38をトレー32に対して閉めることができる。
【００３２】
次に、本実施形態の作用を説明する。内視鏡本体1を滅菌トレー32に収納し、蓋38を閉じた状態でオートクレーブ装置に投人して滅菌する。上述のように滅菌トレー32に収納した状態では、連通弁17は開放状態となり、内視鏡本体1の内外圧力差は逆止弁25により調整される。そのためオートクレーブ装置内が真空状態になったときには内視鏡本体1の内部の空気が逆止弁25により内視鏡本体1の外部に放出される。また、滅菌トレー32に内視鏡本体1が確実に収納されていないときには蓋38が閉まらない。
【００３３】
そのため、内視鏡本体1の湾曲部9の外皮チューブを破損することがなく、また蒸気滅菌時には外圧の方が内圧より高くなるため、水蒸気が内視鏡本体1内に侵入することがない。
【００３４】
また、滅菌時に内視鏡本体1を収納する滅菌トレー32に内視鏡本体1が確実に収納されていないときには蓋38が閉まらないため、滅菌時に逆止弁25が機能しないことがない。
【００３５】
前記実施形態によれば、次のような構成が得られる。
【００３６】
（付記１）内視鏡内部と外部との開放・閉鎖状態を選択可能にする開閉弁機構と、前記開閉弁機構と一体的に設けられ、前記開閉弁が開放され、かつ内視鏡内部の圧力が高い場合のみ内部から外部に通気する逆止弁と、ガス滅菌あるいはオートクレーブ滅菌時に内視鏡を収納する収納容器を備えた内視鏡装置において、前記収納容器は内視鏡本体を収納する凹部と、前記開閉弁と係合し前記逆止弁を開放する前記凹部に設けられた開放部材を備えたことを特徴とする内視鏡装置。
【００３７】
（付記２）前記収納容器は、容器を覆う蓋部を有し、前記内視鏡には、内視鏡本体が容器内の所定の位置に収納され、開閉弁が開放するまで前記蓋部と干渉する干渉部分を有することを特徴とする付記１記載の内視鏡装置。
【００３８】
次に、開示例について述べる。
【００３９】
一般に、オートクレーブ滅菌は、例えば135℃で加熱して滅菌する方法である為、滅菌終了直後は被滅菌物も熱い状態である。熱い内視鏡を冷却する手段として、滅菌された冷水をかける場合があるが、この場合光学部材にくもりが発生したり、内視鏡が濡れてしまい使用しにくいなどの問題があった。
【００４０】
図５は、開示例1を示し、オートクレーブ滅菌後の複数の内視鏡を、効率的かつ確実に冷却し、使い勝手が良い冷却手段を有する内視鏡用オートクレーブ滅菌装置及び滅菌トレーを提供するものである。
【００４１】
内視鏡を収納可能な滅菌トレー41において、蓋42には滅菌トレー41の内外を連通する送気孔43が設けられているとともに、底44には滅菌トレー41の内外を連通する排気孔45が設けられている。送気孔43と排気孔45とは対角線上に位置している。送気孔43は他の滅菌トレー41の排気孔45と連結可能である。
【００４２】
そして、滅菌トレー41に内視鏡を収納し、冷却送気ポート46を一番上の滅菌トレー41の送気孔43に取り付け、オートクレーブ滅菌し、最終工程では冷却送気ポート46から冷却送気を行なうことにより、オートクレーブより取り出した時には、内視鏡及び滅菌トレー41は冷却されている。
【００４３】
開示例1によれば、送気孔43と排気孔45は対角線上に離れて設けられているため、滅菌トレー41内に冷却気体が行き渡り、内視鏡及び滅菌トレー41の全体が冷却されやすい。
【００４４】
図６及び図7は開示例２を示し、内視鏡を収納可能な滅菌トレー４１には開閉可能な蓋42が設けられている。滅菌トレー41の側壁には送気手段としてのファン47が設けられている。滅菌トレー41の内部で、ファン47の近傍には第1のラック歯48aと第2のラック歯48b及び係合部48ｃを有するラック板49が横方向に進退自在に設けられている。このラック板49には駆動手段としての引張りばね50の他端が接続され、この引張りばね50の他端は滅菌トレー41の側壁に連結されている。
【００４５】
ラック板49の第1のラック歯48ａには第1のギア51が噛合され、この第1のギア51には蓋42及び蓋42に設けられた押しボタン52によって操作されるレバー53が設けられている。ラック板49の第２のラック歯48ｂにはファン47に設けられた第2のギア54が噛合されている。さらに、押しボタン52には係合爪55が設けられ、ラック板49の係合部48ｃに係合しているとともに、係合爪55を係合部48ｃと係合状態に付勢する圧縮ばね56が設けられている。
【００４６】
前述した構成によれば、滅菌トレー41に内視鏡を収納し、蓋42を閉めると、蓋42によってレバー53を押し下げる。従って、第1のギア51が回転し、第1のラック歯48ａを介してラック板49をスライドさせるため、引張りばね50を引っ張って駆動力を蓄積する。
【００４７】
次に、オートクレーブ投入後、押しボタン52を押すと、ラック板49の係合部48ｃと係合爪55との係合が解除され、第1のギア51が第1のラック歯48aから離れてラック板49はフリーとなる。従って、ラック板49は引張りばね50の引張り力によってスライドし、第2のラック歯48ｂに噛合している第2のギア54が回転し、ファン４７が回転する。ファン47の回転によって滅菌トレー41内が送気によって冷却される。
【００４８】
図８は開示例３を示し、ファン47の第2のギア54がラック板49の第2のラック歯48ｂに噛合し、ラック板49に引張りばね50が接続されていることは開示例１と同じである。蓋42にはラック板49の長手方向に沿ってガイド溝57が設けられ、このガイド溝57にはラック板49と連結するレバー58がスライド自在に設けられている。ガイド溝57の一端部にはレバー58の摘み58ａが通過可能な開口部59が蓋42に設けられ、他端部にはレバー58をロックするロックボタン60が設けられている。
【００４９】
前述した構成によれば、滅菌トレー41に内視鏡を収納し、蓋42を閉めた後、レバー58をガイド溝57に沿ってスライドさせると、引張りばね50を引っ張って駆動力を蓄積する。次に、オートクレーブ投入後、ロックボタン60によってロック解除すると、ラック板49が引張りばね50の引張り力によってスライドし、第2のラック歯48ｂに噛合している第2のギア54が回転し、ファン４７が回転する。ファン47の回転によって滅菌トレー41内が送気によって冷却される。ファン47の回転は一定時間後停止し、レバー58の摘み58ａは開口部59に位置するため、蓋42は開閉が可能となる。
【００５０】
図９は開示例４を示し、滅菌トレー61には送気導入孔62と排気孔63が設けられ、送気導入孔62には送気ポート63ａが設けられている。滅菌トレー61の内部には内視鏡40を収納する収納溝64が設けられている。
【００５１】
前記構成によれば、滅菌トレー61に内視鏡40を入れ、送気ポート63を送気導入孔62に取り付ける。オートクレーブ滅菌し、最終工程では送気ポート63から送気導入孔62を介して滅菌トレー61内に冷却送気が行なわれると、オートクレーブ装置より取り出した時は内視鏡40が冷却されている。なお、内視鏡40を収納する収納溝64の材質は、熱伝導率が低いものを用いたり、送気ポート63より気体ではなく、水を送水すると冷却効果が高い。
【００５２】
図１０は開示例５を示し、滅菌トレー65と蓋66はオートクレーブ耐性を有し、熱伝導が良い材質で製作され、蓋66には水槽67が設けられている。
【００５３】
滅菌トレー65と蓋66は、金属の場合：アルミ（200w/m・k）、非金属の場合：窒化アルミ（AIN）（170〜200w/m・k）
（比較材質：SUS304…20w/m・k、PPS（GF40）…0.33w/m・k）
さらに、滅菌トレー65の内部には内視鏡40が冷えやすいように、内視鏡40と接触面積を増大する溝を同様な材質で形成してもよい。
【００５４】
前記構成によれば、滅菌トレー65に内視鏡40を入れてオートクレーブ滅菌を行なう。オートクレーブより取り出し、即使用したい時は、冷水を収容した水槽67に滅菌トレー65を入れると、蓋66と滅菌トレー65とを熱伝導が良い材質で製作されているため、蓋66と滅菌トレー65は急速に冷却され、内視鏡40も冷却される。
【００５５】
図１１は開示例６を示し、オートクレーブ後、内視鏡の先端部を効果的に冷却するようにしたものである。オートクレーブ後、内視鏡の先端部のＣＣＤが熱い状態でＣＣＵにつなげると、画像にノイズが入る可能性がある。そこで、  オートクレーブ後、内視鏡の先端部を冷却する手段を設けることにより、前述した問題を解決したものである。
【００５６】
図１１（ａ）は、内視鏡70の先端部71を挿入して先端部71を冷却する放熱部材72であり、この放熱部材72にヒートシンクまたは冷却機能を設けたものでもよい。また、放熱部材72は内視鏡70と一緒にオートクレーブ滅菌できることが好ましい。
【００５７】
図１１（ｂ）は、内視鏡70のチャンネル73内に挿通して内視鏡70の先端部71を冷却する放熱部材74であり、この放熱部材74にヒートシンクまたは冷却機能を設けたものでもよい。また、図１１（ａ）の放熱部材72と組み合わせた構成でもよく、放熱部材74は内視鏡70と一緒にオートクレーブ滅菌できることが好ましい。
【００５８】
図１１（ｃ）は、内視鏡70の先端部71及び／または先端カバー部材75を窒化アルミ等の熱伝導性（放熱効果）の高いセラミックスで形成したものである。なお、窒化アルミよりもさらに熱伝導性が高いカーボンでもよい。
【００５９】
図１１（ｄ）は、内視鏡70の先端部71の内部で、熱伝導性が良く、かつ電気絶縁性を有するセラミック、窒化アルミ等の部材76をＣＣＤ77の近傍に位置させ、その他の少なくとも一部を先端部71の外面に露出して設けたものである。
【００６０】
図１２〜図１４は開示例７を示し、光源装置80、ビデオプロセッサ81及びモニター82等を搭載するトロリー83の棚84に複数個の内視鏡用滅菌ケース85をコンパクトに収納できるようにしたものである。
【００６１】
内視鏡用滅菌ケース85の滅菌ケース本体86には緩衝材87が収納され、緩衝材87には内視鏡88の本体部88a、ユニバーサルコード88b及び操作部88cを収納する溝部89が設けられている。滅菌ケース本体86の一側面及び前端面は開口され、一側面の開口部には開放され、内視鏡88の本体部88a、ユニバーサルコード88bを覆う第1の蓋90が設けられ、前端面の開口部は内視鏡88の操作部88cを覆う第２の蓋91が設けられている。さらに、滅菌ケース本体88の前端部における上面には取手92が設けられている。
【００６２】
前述のように構成された内視鏡用滅菌ケース85はトロリー83の棚84に複数個の内視鏡用滅菌ケース85を横方向に並べて収納することができ、必要な内視鏡88を取り出す際には取手92に手を掛け、第２の蓋91が開放できる位置まで手前側に引き出す。
【００６３】
そして、第２の蓋91を開放すると、内視鏡88の操作部88c及びユニバーサルコード88bのコネクタ部が露出する。そこで、ユニバーサルコード88bのコネクタ部を不潔域の人が持って引き抜き、コネクタ部を光源装置80に接続する。また、清潔域の人が内視鏡88の操作部88cを持って引き抜くことにより、内視鏡88の本体部88aを滅菌ケース本体86から取り出すことができる。
【００６４】
このように滅菌ケース本体86の全体をトロリー83の棚84から引き出すことなく、取手92に手を掛け、第２の蓋91が開放できる位置まで手前側に引き出すだけで内視鏡88を取り出すことができる。
【００６５】
【発明の効果】
以上説明したように、この発明によれば、内視鏡を滅菌時に収納する収納容器に収納することにより、連通弁を開放し、滅菌時に連通弁が必ず開放されるようにする内視鏡装置を提供することである。
【図面の簡単な説明】
【図１】この発明の第1の実施形態を示し、内視鏡全体の斜視図。
【図２】同実施形態の通気口金の縦断側面図。
【図３】同実施形態の滅菌トレーの斜視図。
【図４】同実施形態を示し、（ａ）（ｂ）は同実施形態の通気口金装着穴の形状を示す断面図及び側面図。
【図５】開示例1を示す滅菌トレーの斜視図。
【図６】開示例２を示す滅菌トレーの斜視図。
【図７】開示例２を示し、（ａ）〜（ｃ）は作用説明図。
【図８】開示例３を示す滅菌トレーの斜視図。
【図９】開示例４を示す滅菌トレーの斜視図。
【図１０】開示例５を示す滅菌トレーの斜視図。
【図１１】開示例６を示し、（ａ）〜（ｃ）は斜視図、（ｄ）は断面図。
【図１２】開示例７を示し、トロリーの正面図。
【図１３】開示例７を示し、内視鏡用滅菌ケースの斜視図。
【図１４】開示例７を示し、内視鏡用滅菌ケースの第1の蓋を取り外して内部を示す斜視図。
【符号の説明】
１…内視鏡本体
１４…通気口金
１７…連通弁
２５…逆止弁
３２…滅菌トレー
３３…凹部
【図１】
0004675001.tif 000002
【図２】
0004675001.tif 000003
【図３】
0004675001.tif 000004
【図４】
0004675001.tif 000005
【図５】
0004675001.tif 000006
【図６】
0004675001.tif 000007
【図７】
0004675001.tif 000008
【図８】
0004675001.tif 000009
【図９】
0004675001.tif 000010
【図１０】
0004675001.tif 000011
【図１１】
0004675001.tif 000012
【図１２】
0004675001.tif 000013
【図１３】
0004675001.tif 000014
【図１４】
0004675001.tif 000015